(57)【要約】【課題】主に投写型表示装置に用いるにあたり、性能の優れた偏光分離素子を提供する。プリズム部材の発熱により応力歪みが発生し、これによる複屈折作用で偏波面の乱れが生じる課題を低減、あるいは解消する。当該偏光分離素子と反射型空間光変調素子を用いて、表示コントラストが高く、表示むらが小さい投写型表示装置を実現する。【解決手段】例えば、偏光分離素子は、プリズム部材とプリズム部材と屈折率を整合させたオプティカルカップリング液と偏光分離層から構成し、プリズム部材の一部にオプティカルカップリング液を充填する複数の空隙構造を設け、応力歪みと複屈折作用による偏波面状態の乱れを低減させる。【選択図】  図１
2004252187.tif 000002
【特許請求の範囲】
【請求項１】
プリズム部材と前記プリズム部材と屈折率を略整合させたオプティカルカップリング液と偏光分離層から構成され、当該プリズムの内部に配置される前記偏光分離層の作用により入射する光を互いに偏光状態の異なる透過光と反射光に分離する偏光分離素子であって、前記プリズム部材の一部に前記オプティカルカップリング液を充填する複数の空隙構造を設けたことを特徴とする偏光分離素子。
【請求項２】
前記偏光分離層は微小な金属格子を波長単位で配列してなるワイヤーグリッド型の偏光分離板であることを特徴とする請求項１記載の偏光分離素子。
【請求項３】
光源と、前記光源の放射する光を集めて照明光を形成する集光照明手段と、偏光分離素子と、偏光の変化を利用して光学像を形成する反射型の空間光変調素子と、投写レンズ、から構成され、前記偏光分離素子は、プリズム部材と前記プリズム部材と屈折率を略整合させたオプティカルカップリング液と偏光分離層から構成され、前記偏光分離素子は、前記空間光変調素子を照明する光の光路と、前記空間光変調素子で変調された出射光が前記投写レンズに到る光路に配置されて前記照明光と前記出射光の光路弁別を行うと共に、出射光の偏光に応じて投写レンズに到る有効光束の制御を行い投写画像を形成し、前記プリズム部材の一部に前記オプティカルカップリング液を充填する複数の空隙構造を設けたことを特徴とする投写型表示装置。
【発明の詳細な説明】
【０００１】
【発明の属する技術分野】
本発明は、主に投写型表示装置に用いる偏光分離素子と、当該偏光分離素子と反射型の空間光変調素子を用いて構成される投写型表示装置に関する。
【０００２】
【従来の技術】
光の電気振動（或いは、これと直交する磁気振動）について、振動方向がランダムな状態である自然光に対し、特定状態に振動が偏った光を偏光を呼ぶ。液晶パネルの表示原理は偏光を利用しており、この用途には、ヨウ素や有機染料などを含ませた高分子のフィルムを特定方向に延伸し、一定方向の直線偏光の光だけを通過させ、これと直交する偏光の光を吸収するフィルム型の偏光板が広く実用化されている。
【０００３】
同様の偏光機能素子として、プリズム型の偏光分離素子がある。これは、図５に示す様に、２つの三角プリズム９０１、９０２を貼り合わせて立方体形状にしたもので、例えば、片側のプリズム９０１の接合面には、偏光分離多層膜９０３を、蒸着やスパッタリング工法により形成する。これは、例えば、自然光９０４を入射させ、偏光分離多層膜９０３を通過するＰ偏光９０５と、多層膜９０３を反射するＳ偏光９０６に分離する。或いは、この反対に、９０５の方向からＰ偏光を入射させ、９０６の方向からＳ偏光を入射させ、これらを合成させて、９０４の方向に出射させる事ができる。
【０００４】
尚、Ｐ偏光とは、入射光の光軸と、偏光分離多層膜９０３の法線９０７を含む平面を定義し、電界の振動面がこの平面と平行である偏光成分を示す。また、Ｓ偏光とは、電界の振動面がこの平面と直交する偏光成分を示す。一般に、三角プリズム９０１と９０２は、頂角４５度−９０度−４５度の直角三角形を底面とする三角柱とし、これらを接合させて、立方体形状にしている。この場合、プリズムの入出射界面は光軸に直交し、ダイクロイック多層膜９０３への入射角は、光軸に沿った光線について４５度となる。
【０００５】
また、ワイヤーグリッドは、これまで主に赤外分光など比較的波長の長い光について、偏光を分離する素子として実用化されている。これは、波長オーダーの微小な金属グリッド構造を用いたもので、電界の振動方向がグリッド細線の長手方向と直交する偏光成分を透過させ、電界の振動方向がグリッド細線の長手方向と一致する偏光成分を反射させる。この原理に基づく偏光素子は、例えばＵＳＰ２，２２４，２１４号公報に開示されている。
【０００６】
近年、微細加工技術の進歩により、可視波長（４００〜７００ｎｍ）オーダの微小ピッチのワイヤーグリッド構造が提案されている（例えば、ＵＳＰ６，１２２，１０３など）。これは、例えば図６に示す構造である。透明基材９１０の片面に、アルミニウムの薄膜を形成し、これをパターンエッチングすることで、可視の波長オーダの微小グリッド構造９１１を構成する。この時、微小グリッドの細線方向９１２について、偏波面（電界の振動方向）がこれに直交する光は透過し、偏波面が平行な光は反射する。
【０００７】
また、液晶パネルなどの空間光変調素子を、放電ランプの強力な光で照明し、その光学像を投写レンズを用いてスクリーン上に拡大投影する投写型表示装置は、迫力ある大画面の映像を容易に提供する手段として広く使われている。このうち、反射型液晶パネルを使う従来構成の一例を図７に示す。これは、超高圧水銀灯などのランプ９２１、発光体９２２の放射する光を集めて照明光束を形成する凹面鏡９２３、照明光から不要な赤外光や紫外光を除去するＵＶ−ＩＲカットフィルタ９２４、偏光分離素子９２５、三原色の光に分解合成を行うプリズム合成体９２６、三原色のＲＧＢに対応した３枚の反射型液晶パネル９２７、９２８、９２９、投写レンズ９３０、などから構成される。
【０００８】
３枚の反射型液晶パネルには、ＲＧＢの原色光学像が偏光状態の変化として形成される。すなわち、紙面に沿った偏光の光をＰ偏光、紙面に直交する偏光の光をＳ偏光と表現し、各々の液晶パネルは、偏光分離素子９２５で反射されたＳ偏光成分の光で照明される。黒表示は、照明光のＳ偏光成分がそのまま保持されて反射され、Ｓ偏光として偏光分離素子９２５に再入射した光は、投写レンズ９３０に到達せず、黒表示となる。白表示は、照明光のＳ偏光成分が偏波面の回転作用を受け、Ｐ偏光として偏光分離素子に再入射する。Ｐ偏光は、偏光分離素子９２５を直進し、投写レンズに到達して白表示となる。これら２つの偏光状態の中間的な偏波面の回転により、偏光分離素子９２５を通過して投写レンズ９３０に入射できる光の強度が変調され、中間階調を表現できる。
【０００９】
プリズム合成体９２６は、３つのプリズム９３１、９３２、９３３を組み合わせた所謂フィリップスタイプの色分離合成プリズムである。これは、プリズム９３１と９３２の間に微小エアギャップを設け、プリズム９３１のプリズム９３２と接する界面には、色選択反射のダイクロイック多層膜が形成される。同じく、プリズム９３２と９３３の接合面には、いずれかのプリズム界面に色選択ダイクロイック多層膜が形成される。これら２つのダイクロイック多層膜の波長選択特性を適切に選び、３枚の液晶パネルへ入出射する光をＲＧＢの三原色光に対応させる事ができる。
【００１０】
偏光分離素子９２５は、例えば、図５に示した誘電体多層膜による偏光分離プリズムが利用される。或いは、図６に示したワイヤーグリッド型の偏光分離板を利用できる。同様の投写型表示装置として、ＵＳＰ６，２３４，６３４号公報に開示される。
【００１１】
【特許文献１】
米国特許第２，２２４，２１４号公報
【特許文献２】
米国特許第６，１２２，１０３号公報
【特許文献３】
米国特許第６，２３４，６３４号公報
【特許文献４】
特開２００２−３７２７４９号公報
【特許文献５】
特開平２−２５００２６号公報
【特許文献６】
米国特許第５，９８６，８１５号公報
【００１２】
【発明が解決しようとする課題】
図５に示す誘電体多層膜を用いたプリズム型の偏光分離素子の課題を述べる。
１個のプリズムで波長がおよそ４３０〜６５０ｎｍの可視帯域の光について、良好な偏光分離特性を実現する事が難しい。すなわち、作用する波長について広帯域化が難しく、短波長側や長波長側で、偏光分離特性が低下し、良好なＳ偏光反射、良好なＰ偏光透過が得らなくなるという課題がある。また、誘電体多層膜の偏光分離特性は、入射角依存が大きいという課題がある。図５に図示したような光軸に沿った理想的な直進光線について良好な特性が得られても、これと角度を成して進行する光線、投写レンズで集光できる円錐状のＦナンバ規定の光線群について、傾斜角の大きい光は、良好な偏光分離特性が得られにくいという課題がある。
【００１３】
光軸と角度を成して進行する、所謂、スキュー光線は、幾何構成上の捻れ作用により、所望のＰ偏光、Ｓ偏光状態を得られないという課題がある。例えば、図７に示す投写型表示装置を構成し、図５に示す偏光分離素子を用いた場合を想定する。この場合、液晶パネルにとって、必要な入射光についてのＳ偏光の規定、出射光のＰ偏光の規定は、液晶パネルの法線方向に取った光軸と、偏光分離素子９２５に入出射する光軸を含む平面を基準に決まる、つまり、紙面に完全に平行な偏波面の光をＰ偏光と呼び、紙面に直交して上記各光軸を含む平面について、偏波面がこの平面方向の光をＳ偏光と呼ぶ。
【００１４】
これに対し、誘電体多層膜９２５Ａの入出射状態で規定される偏光分離機能でのＰ偏光、Ｓ偏光の偏波面方位は、スキュー光線について捻れた座標空間を持ち、この捻れ成分の要因により、スキュー光線の場合は、液晶パネルが良好なコントラストで表示変調を行うのに必要な上記各偏波面の光線が完全に得られないという課題がある。つまり、スキュー光線について、この光線の誘電体多層膜９２５Ａ前後の進行ベクトルと、誘電体多層膜の法線方向を含む平面を規定する。図示した光軸について、この定義される平面と、紙面に沿った方向は完全に一致するが、スキュー光線については、捻れた平面が定義される。この捻れた平面に沿った偏波面の光が、誘電体多層膜で透過分離されるＰ偏光成分であり、捻れた平面に直交し、進行ベクトルを含む平面に沿った偏波面の光が反射分離されるＳ偏光成分となる。従って、図５に示すプリズム型の偏光分離素子は、スキュー光線を含む円錐状の拡がりを持ったＦナンバ光線群について、作用を受ける液晶パネルから見て、統一的な１つの直線で規定されるＰ偏光、Ｓ偏光の作用効果を持たない、各光線の捻れ方位の影響により、良好な直線偏光が得られにくく、投写型表示装置を構成した場合に、コントラストの低下、表示むら、色むらなどを招くので問題がある。
【００１５】
この課題に対し、液晶パネルの入射側にλ／４板などの位相差板を挿入することで、表示品位、コントラストが改善できる事が提案されている（特開平２−２５００２６号公報、ＵＳＰ５，９８６，８１５号公報）。但し、この提案は、上記捻れにより発生する光線の偏波面の乱れを補償するように位相差板を挿入するものであり、補償の効果度合いによっては、コントラストや画質の改善が不十分である。また、コストと量産性の面で実用的な位相差板は、ポリビニルアルコールやポリカーボネートの透明樹脂フィルムを、一定方向に延伸させて位相差を形成し、これを所定のリターダンス（屈折率異方性）が得られるように積層させたものが一般的である。
【００１６】
この樹脂フィルムを投写型表示装置に用いると、紫外線に対する耐光性の問題で、長期使用時に特性が劣化する、透明度が低下する、焦げる、と言った信頼性の課題がある。また、使用温度条件が厳しく、多くの風量を送る冷却機能が必要であること、冷却すると埃が付着し画質欠陥を生じること、照射光量をあまり大きくできないことと言った課題がある。
【００１７】
また、プリズム型の偏光分離素子は、これを構成する光学硝材とその温度条件に依って、その内部歪みが複屈折作用を持ち、偏光制御された所定の偏光状態が、部分的に乱されるという課題がある。これは、投写型表示装置に用いた際に、コントラストの部分むらや、色むらとなるので大きな問題がある。この為、プリズム内の熱歪みが大きくならないように、使用できる光量条件に制約を生じる。
或いは、光弾性定数の極めて小さい特殊な材料を使う必要があり、これはコストと量産性の面で問題を生じる。また、光弾性定数の小さい硝材は、多くの鉛を含む場合があり、商品に採用した後、廃棄物の環境保護の面で、有害物質となり得るので問題がある。
【００１８】
これに対し、図６に示すワイヤーグリッド型の偏光分離素子は、多くの優位点を持つ。例えば、入射角依存が相対的に小さく、円錐光線群に対して比較的良好な偏光分離機能を提供できる。また、作用して反射、あるいは透過させる光線について、その偏波面は、ワイヤーグリッドの細線方向に沿ったＳ偏光と、これと直交するＰ偏光成分に規定される。つまり、捻れて進行するスキュー光線についても、そのＳ偏光とＰ偏光は、光軸に沿って進行する主光線と同様の定義、考え方を採用できる。その結果、投写型表示装置を構成した場合に、コントラストや表示低下を改善できる。
【００１９】
一方、図６に示す偏光分離素子を用いて、図７に示すものと同様の投写型表示装置を構成した場合、新たに以下の課題がある。ワイヤーグリッド型の偏光分離素子は、単体では偏光分離の消光比があまり大きく取れない。従って、そのままではコントラスト性能の高い表示装置を構成できない。
【００２０】
また、コントラストを有利に得るには、図７の構成のまま、偏光分離素子９２５の位置に、４５度入射となるようにワイヤーグリッド型偏光板を置くことが望ましい。すなわち、照明光をＳ偏光反射で利用し、液晶パネルに導く。液晶パネルからは、白表示：Ｐ偏光、黒表示：Ｓ偏光の出射光を受け、Ｐ偏光の光を透過させて投写レンズに導くとよい。このような構成を取った場合、液晶パネル〜投写レンズの結像系の光路に、所定厚みを有するガラス基材を４５度に傾けて配置することになる。この場合、紙面に沿った方向に拡がる光線群と、紙面に直交する方向に拡がる光線群で、４５度傾斜のガラス基材による屈折作用が異なり、スクリーン上で非点隔差を生じるという問題がある。これは、結像点の解像度を低下させ、画像の鮮鋭度を低下させるので問題がある。
【００２１】
【課題を解決するための手段】
上記問題点を解決するために本発明の偏光分離素子は、プリズム部材とプリズム部材と屈折率を略整合させたオプティカルカップリング液と偏光分離層から構成され、当該プリズムの内部に配置される偏光分離層の作用により入射する光を互いに偏光状態の異なる透過光と反射光に分離する偏光分離素子であって、プリズム部材の一部にオプティカルカップリング液を充填する複数の空隙構造を設けたことを特徴とし、当該偏光分離素子の熱変化に伴う応力歪みと複屈折作用による内部偏波面状態の乱れを低減させる効果が得られる。
【００２２】
更に、偏光分離層は、微小な金属格子を波長単位で配列してなるワイヤーグリッド型の偏光分離板であるとなおよい。
【００２３】
上記問題点を解決するために本発明の投写型表示装置は、光源と、光源の放射する光を集めて照明光を形成する集光照明手段と、偏光分離素子と、偏光の変化を利用して光学像を形成する反射型の空間光変調素子と、投写レンズ、から構成され、偏光分離素子は、プリズム部材とプリズム部材と屈折率を略整合させたオプティカルカップリング液と偏光分離層から構成され、偏光分離素子は、空間光変調素子を照明する光の光路と、空間光変調素子で変調された出射光が投写レンズに到る光路に配置されて照明光と出射光の光路弁別を行うと共に、出射光の偏光に応じて投写レンズに到る有効光束の制御を行い投写画像を形成し、プリズム部材の一部にオプティカルカップリング液を充填する複数の空隙構造を設けたことを特徴とし、当該偏光分離素子の熱変化に伴う応力歪みと複屈折作用による内部偏波面状態の乱れを低減させる効果が得られる。
【００２４】
【発明の実施の形態】
（偏光分離素子の実施の形態１）
図１は、本発明の偏光分離素子について、構成の一例を示す。これは、（ａ）図に示すように２つの三角プリズム３１、３２を合わせた立方体形状のプリズム型偏光分離素子であり、底面基材３３と、ヒートシンク構造を備えた上面部材３４を一体化した構成である。特に、例えば、三角プリズム３１は、（ｂ）図に示すように、円筒の空隙３５を複数個備えた中空構造としている。三角プリズム３２も同様である。三角プリズム３１と３２の複数の空隙部は、底面基材３３の上面中空構造と、上面部材３４の下部中空構造を介して経路が一体化され、この部分には、屈折率がプリズム部材と良好に整合された透明の液体部材を充填させる。このような液体は、オプティカルカップリング液と呼ばれ、エチレングリコール、グリセリン、ジエチレングリコール、などの混合液を用いることができる。
図１（ａ）のプリズム型偏光分離素子を構成するにあたり、上記空隙経路を満たす液体が、自由に循環できる構造とし、上部部材３４のヒートシンク構造に依って、冷却作用を受けるようにすると良い。
【００２５】
また、環境温度変化によって、上記空隙経路内に密閉された液体と、同時に封止された空気の体積膨張と収縮が問題になる場合がある。この問題に備え、空隙経路の一部に体積を可変できるゴム製蛇腹部材などを接続し、体積変化を吸収できる構成とすれば良い。
【００２６】
上記構成に依れば、プリズム部材の熱歪みによる応力分布で、偏光分離作用を行う光について、不必要な偏波面の乱れ、不要な複屈折作用を低減あるいは、除外できる利点がある。つまり、プリズム部材の内部まで、密閉された液体が循環し、冷却、或いは、均熱作用を果たすので、プリズム部材全体での熱歪みを小さくできる。従って、より強力な光や、より簡素な冷却構造を採用しても、熱歪みによる応力分布で偏波面が乱れる事が無く、良好な特性を有する偏光分離素子を構成できる。これを用いて、コントラストの均一性が高く、色むらの少ない投写型表示装置を構成できる。
【００２７】
上記構成による本発明の作用と効果を得るに当たり、三角プリズム３１と３２の接合界面に配置される偏光分離層は、その原理、構成を限定されない。誘電体多層膜を積層してなる偏光分離層でも良いし、ワイヤーグリッド型の偏光分離板でも良い。
【００２８】
（偏光分離素子の実施の形態２）
図１に示した本発明の偏光分離素子の実施の形態１は、図２（ａ）に示す様な構成にするとなお好ましい。
【００２９】
１１は、ガラス基板の片面に微小なワイヤーグリッド構造を形成した偏光分離板であり、微小金属細線の凹凸構造を可視の波長帯域レベルのピッチで構成し、可視の自然光に対し、Ｐ偏光を透過、Ｓ偏光を反射させる機能を有する。尚、図２のグリッド構造は、構成を模式的に示す為に表現したものであり、実際の外観、スケールとは一致しない。１２、１３は、三角柱プリズムであり、偏光分離板１１を挟み込んで一体化され、全体として立方体のプリズム構造としている。
【００３０】
本構成に依れば、矢印１４から入射した自然光は、偏光分離板１１の作用により、Ｓ偏光は反射されて矢印１５方向に出射し、Ｐ偏光は透過して矢印１６方向に進行する。ここで、Ｐ偏光とは、入射光線の光軸と偏光分離板１１の法線方向を含む平面を定義し、この平面に沿って電界が振動する光をＰ偏光、この平面と直交する方向に電界が振動する光をＳ偏光としている。ワイヤーグリッドの微小細線方向（矢印１７方向）について言えば、矢印１７と電界の振動が平行な成分をＳ偏光と呼び、これは反射されて１５方向に進行する。矢印１７と電界の振動が直交する光をＰ偏光と呼び、これは透過して１６方向に進行する。
【００３１】
微小なワイヤーグリッド構造のピッチと格子高さを適切に選択すれば、この偏光分離素子は、プロジェクタなどで必要な可視帯域について、良好な偏光分離特性を得ることができる。
【００３２】
構成上、偏光分離板１１のワイヤーグリッドを形成しない裏面界面と、三角プリズム１２の隣接する界面は、屈折率整合させた透光性接着剤で接合し、不要な界面損失を減らすと良い。また、ワイヤーグリッドの形成面と、三角プリズム１３の隣接界面は、微小な空気間隔を介してお互いを保持する一体構造とすれば良い。三角プリズム１２、１３と、偏光分離素子１１の必要な光学界面には、反射防止膜を形成し、不要反射を低減させると良い。
【００３３】
図２（ａ）に示す本発明の偏光分離素子は、これを透過する光を結像系に用いても、偏光分離板１１の基材による屈折で非点隔差を発生しない利点がある。この為に、偏光分離板１１の基材屈折率と、三角プリズム１２、１３の硝材屈折率は、互いに近い大きさとするとなお良い。所定厚みのガラス平板基材を４５度傾けて光路に挿入する場合と比較して、三角プリズムに入出射する光学界面が、光軸とおよそ直交して配置されるので、上記問題を解決できる。４５度に傾斜した三角プリズムの界面と偏光分離素子１１のワイヤーグリッド面の境界は、非点隔差の要因となる非回転対称の屈折作用を持つが、この作用長が非常に短いので、従来構成で問題となるようなレベルの非点隔差は発生させない。
【００３４】
また、ワイヤーグリッド型の偏光板は、可視の広い波長帯域について良好な特性を持ち、入射角依存が小さく、スキュー光線での偏波面の捻れを発生させない、ので、主として投写型表示装置に適した偏光分離素子を実現できる。
【００３５】
一方、このような偏光分離板であっても、上記非点隔差の問題を解決するために三角プリズムで挟み込んだ形態にすると、通過する光による発熱作用、プリズム部材内の熱不均一性により、応力歪みを生じる。これは、プリズム部材の複屈折作用となり、作用させる光の偏波面状態を乱すと言う問題を生じる。すなわち、自然光を入射させ、良好な直線偏光のＰ偏光とＳ偏光に分離しようとしても、偏光状態が僅かに楕円偏光となったり、また、その状態が、プリズム内の通過位置によって異なり、ムラを生じる。これは、投写型表示装置に応用した場合に、黒表示が浮いたり、不均一な黒レベルとなるので問題である。
【００３６】
この問題に対し、図２に示す構成は、三角プリズム１２、１３の一部に、空隙を設けた図１と同様の構成を採用する。すなわち、例えば、プリズム１３は、図２（ｂ）に示すように空隙３５を形成し、この部分にオプティカルカップリング液を循環させる。プリズム１２についても同様である。また、図２（ａ）は、その構造を判りやすくするために、図１で記載した底面基材３３、上面部材３４を明示していないが、空隙構造３５を満たすオプティカルカップリング液が、保持されて互いに循環すると共に、上面、或いは下面の適当な部位で冷却されるように、適宜、部材を追加して構成される。
【００３７】
これにより、プリズム部材内に設けた空隙構造中に、屈折率整合の取れたオプティカルカップリング液を充填するので、光学性能的には、通常のプリズム型偏光分離素子と何ら遜色が無い。加えて、このオプティカルカップリング液がプリズム内を循環し、プリズム全体の均熱化、応力フリー化に寄与するので、不要な複屈折作用、偏波面の乱れの少ない偏光分離素子を実現できる。
【００３８】
（投写型表示装置の実施の形態１）
図３は本発明の投写型表示装置について、好ましい実施の形態の一例を示す。
投写型表示装置は、光源を構成する超高圧水銀灯１０１、放物面鏡１０２と、ＵＶ−ＩＲカットフィルタ１０４、色分離合成プリズム１０５、反射型の空間光変調素子である青用の反射型液晶パネル１０６、緑用の反射型液晶パネル１０７、赤用の反射型液晶パネル１０８と、投写レンズ１０９、本発明の偏光分離素子１１０、などから構成される。
【００３９】
超高圧水銀灯１０１は、外部から供給される駆動電源によりアーク放電を形成し、発光体１０３を発生させる。このランプは、高い発光効率で可視全域にバランスの良い発光スペクトルを有するので投写型表示装置に用いる上で最適なランプの１つである。発光体１０３の放射する光は、放物面鏡１０２により集光され、以降の液晶パネルを照明する照明光を形成する。照明光から有害な紫外線と赤外線を取り除く目的で、ＵＶ−ＩＲカットフィルタ１０４を用いる。
【００４０】
一般に、光源の放射する光を集めて照明光を形成する集光照明手段として、明るさの均一性の高い照明を実現するために、インテグレータと呼ばれる照明用の光学素子が用いられる場合が多い。これは、１組のレンズアレイを組み合わせたものや、ガラスロッドの内部で多重反射を繰り返し明るさの均一性を改善するものである。また、透過型や反射型の偏光を利用する液晶パネルを照明する場合、偏光変換光学系と呼ばれるものが用いられ、光源の直後で直線偏光に近い光を形成し、光損失を改善する方式がある。これは、光源の放射する自然光を、偏波面の直交する２つの偏光（Ｐ偏光、Ｓ偏光）に分離し、片側の偏波面を９０度回転させて互いの偏波面を揃えた後に、これらの光束の光路合成を行う方式である。
但し、本発明の投写型表示装置の構成と作用効果を説明する上で、上記インテグレータや偏光変換光学系は関係せず、各実施例はこれらを割愛して説明する。
【００４１】
色分離合成プリズム１０５は、所謂、フィリップス型のプリズム合成体であり、最初の三角プリズム１０５Ａの所定界面に、青反射のダイクロイック多層膜を形成している。これにより、照明光の青成分だけが反射され、対応する青表示の液晶パネル１０６を照明し、かつ、当該液晶パネルにて変調されて出射した光を投写レンズ１０９の方向に導く。また、次の三角プリズム１０５Ｂと最初の三角プリズム１０５Ａの接合面には、微小なエアギャップが形成され、別の所定界面に形成された赤反射ダイクロイック多層膜によって反射された赤成分の光を、更に全反射させて、対応する赤表示の液晶パネル１０８に導く。更に、これらのプリズムとダイクロイック多層膜を直進した緑成分の光は、対応する緑表示の液晶パネル１０７を照明し、反射変調されて出射する緑の光は、折り返して、投写レンズ１０９に進行する。
【００４２】
偏光分離素子１１０は、上述した本発明の偏光分離素子の実施の形態１：図１、または、実施の形態２：図２、のいずれかを用いる。誘電体多層膜、ワイヤーグリッドなどの偏光分離層１１２を、プリズム部材１１３，１１４で挟み込み、当該プリズム部材に空隙構造１２５を設けると共に、屈折率を整合させたオプティカルカップリング液を充填させる。
【００４３】
偏光分離素子１１０に入射した光は、そのＳ偏光成分のみを反射し、液晶パネル１０６、１０７、１０８を照明する光を形成する。各々の液晶パネルでは、外部から供給される駆動信号に応じた光学像が形成され、黒表示部分はＳ偏光で入射した光をＳ偏光のまま折り返し、白表示部分はＳ偏光で入射した光をＰ偏光の状態まで偏波面を回転させて折り返す。中間の階調は、偏波面の回転が９０度以下であり、Ｐ偏光成分として取り出される光量に応じた明るさとなる。変調されて液晶パネルから出射した光は、Ｐ偏光成分は、偏光分離素子１１０を直進し、投写レンズに入射して白表示となる。Ｓ偏光成分は、偏光分離層１１２で反射されて光源側に戻る。従って、黒表示となる。
【００４４】
上記構成に依れば、オプティカルカップリング液の循環作用により、プリズム部材の均熱化、応力フリー化を得る事ができ、不要な複屈折作用が少なく、良好なコントラスト、黒表示、黒レベルの均一性を得ることができる。これは、特に光量が大きい大型の投写型表示装置でより大きな効果を得る。
【００４５】
（投写型表示装置の実施の形態２）
図４は、図３で述べた実施の形態１に対し、更に好ましい本発明の投写型表示装置の構成の一例を示す。上述した本発明の偏光分離素子を用いると共に、図４と同じ番号で指示したものは、同じ構成である。この実施例では、偏光分離素子１１０の照明光入射側に、プリ偏光板１２１を配置し、投写レンズ１０９側に、不要光を除去する為の偏光板１２２を配置している。偏光板１２１は、偏光分離素子１１０に対し、必要なＳ偏光成分だけを通過させ、偏光板１２２は、偏光分離素子１１０に対し、必要なＰ偏光成分だけを通過させる。本構成では、追加して配置した２枚の偏光板の作用により、よりコントラストが高く、黒浮きの少ない投写型表示装置を構成できる。
【００４６】
プリズムの熱歪みによる複屈折作用は、より消光比が大きく、コントラストの高い投写型表示装置ほど、その黒レベルの不均一性、輝度むらが顕著に目立つので問題となる。本発明は、これに対し、プリズム全体を有効に均熱化し、応力歪み、すなわち不要な複屈折作用を低減できる。
【００４７】
【発明の効果】
以上述べたように本発明の偏光分離素子とこれを用いた投写型表示装置は、熱歪みによる不要な複屈折作用を発生させず、輝度むらや色むらの少ない黒レベルを実現し、コントラストの高い画像を提供できる。
【図面の簡単な説明】
【図１】本発明の偏光分離素子の一例を示す略構成図
【図２】本発明の偏光分離素子の他の一例を示す略構成図
【図３】本発明の投写型表示装置の一例を示す略構成図
【図４】本発明の投写型表示装置の他の一例を示す略構成図
【図５】従来の偏光分離素子の一例を示す略構成図
【図６】従来の偏光分離素子の他の一例を示す略構成図
【図７】従来の投写型表示装置の一例を示す略構成図
【符号の説明】
１１  偏光分離板
１２、１３、３１、３２  三角プリズム
３３  底面基材
３４  上面部材
３５  空隙
１０１  超高圧水銀灯
１０２  放物面鏡
１０３  発光体
１０４  ＵＶ−ＩＲカットフィルタ
１０５  色分離合成プリズム
１０６、１０７、１０８  反射型液晶パネル
１０９  投写レンズ
１１０  偏光分離素子
１２１  プリ偏光板
１２２  偏光板
【図１】
2004252187.tif 000003
【図２】
2004252187.tif 000004
【図３】
2004252187.tif 000005
【図４】
2004252187.tif 000006
【図５】
2004252187.tif 000007
【図６】
2004252187.tif 000008
【図７】
2004252187.tif 000009